(57)【要約】  本発明は、複数のアクセス技術(AT)を提供する多元アクセスネットワークにおけるアクセス選択のための方法を提供する。装置は、多元アクセス管理エンティティ(MAM)及び、前記複数のアクセス技術(AT)に従った複数のアクセス(A)に関連付けられた複数の汎用リンクレイヤエンティティ(GLL)を有してよい。アクセス選択はアクセス決定及びアクセス構成を有する。最初のステップで、汎用リンクレイヤエンティティ(GLL)が、アクセス(A)の１つ又は複数の構成に対応する１つ又は複数の汎用性能メトリック(GPM)を決定する。汎用リンクレイヤエンティティ(GLL)は、アクセス(A)の１つ又は複数の構成に対応する、決定された１つ又は複数の汎用性能メトリック(GPM)を、多元アクセス管理エンティティ(MAM)へ送信する。多元アクセス管理エンティティ(MAM)は、受信した汎用性能メトリック(GPM)から、アプリケーション／ベアラの要件に適した構成をどのアクセス(A)が提供するかを決定する。そして、前記多元アクセス管理エンティティ(MAM)は、決定された構成を、決定されたアクセス(A)に関連付けられた汎用リンクレイヤエンティティ(GLL)へ送信する。決定された汎用リンクレイヤエンティティ(GLL)は、多元アクセス管理エンティティ(MAM)から受信した、決定された構成に基づいて、アクセス(A)を構成する。さらに、本発明は対応する装置、モジュール及びソフトウェアに関する。
2009530926.tif 000002
【特許請求の範囲】
【請求項１】
複数のアクセス技術(AT)を提供する多元アクセスネットワークであり、多元アクセス管理エンティティ(MAM)と、前記複数のアクセス技術に従った複数のアクセス(A)に関連付けられた複数の汎用リンクレイヤエンティティ(GLL)とを有する多元アクセスネットワークにおける、アクセス決定並びにアクセス構成を有するアクセス選択方法であって、
・  汎用リンクレイヤエンティティ(GLL)が、前記アクセス(A)の１つ又は複数の構成に対応する、１つ又は複数の汎用性能メトリック(GPM)を決定するステップと、
・  前記汎用リンクレイヤエンティティ(GLL)が、前記アクセス(A)の１つ又は複数の構成に対応する、決定された１つ又は複数の汎用性能メトリック(GPM)を、前記多元アクセス管理エンティティへ送信するステップと、
・  前記多元アクセス管理エンティティ(MAM)が、前記決定された汎用性能メトリック(GPM)から、どのアクセス(A)が、アプリケーション／ベアラの要件に適した構成を提供するかを決定するステップと、
・  前記多元アクセス管理エンティティ(MAM)が、前記決定された構成を、前記決定されたアクセス(A)に関連付けられた前記汎用リンクレイヤエンティティ(GLL)へ送信するステップと、
・  前記決定された汎用リンクレイヤエンティティ(GLL)が、前記多元アクセス管理エンティティ(MAM)から受信した前記決定された構成に基づいて、前記アクセス(A)を構成するステップとを有することを特徴とする方法。
【請求項２】
さらに、前記決定されたアクセス(A)に関連付けられた前記汎用リンクレイヤエンティティ(GLL)が、前記決定された構成に関する汎用性能メトリック(GPM)を送信するステップを有することを特徴とする請求項１記載の方法。
【請求項３】
さらに、
・  前記多元アクセス管理エンティティ(MAM)が、ベアラの要件を、汎用リンクレイヤエンティティ(GLL)が前記アクセス(A)の１つ又は複数の構成に対応する１つ又は複数の汎用性能メトリック(GPM)を決定する前に、１つ又は複数の汎用リンクレイヤエンティティ(GLL)へ送信するステップと、
・  ベアラの要件を受信している汎用リンクレイヤエンティティ(GLL)が、前記受信したベアラの要件に基づいて１つ又は複数の汎用性能メトリック(GPM)を決定するステップとを有し、前記受信したベアラの要件に合致しない汎用性能メトリック(GPM)は、その後報告されなくなることを特徴とする請求項１又は請求項２記載の方法。
【請求項４】
前記汎用リンクレイヤエンティティ(GLL)が、前記アクセス(A)の１つ又は複数の構成に対応する１つ又は複数の汎用性能メトリック(GPM)を、解析的な導出によって決定するステップをさらに有することを特徴とする請求項１乃至請求項３のいずれか１項に記載の方法。
【請求項５】
前記汎用リンクレイヤエンティティ(GLL)が、前記アクセス(A)の１つ又は複数の構成に対応する１つ又は複数の汎用性能メトリック(GPM)を、１つ又は複数のマッピングテーブルを用いて決定するステップをさらに有することを特徴とする請求項１乃至請求項４のいずれか１項に記載の方法。
【請求項６】
複数のアクセス技術(AT)を提供する多元アクセスネットワークにおけるアクセス選択のための汎用性能メトリック(GPM)を提供する汎用リンクレイヤエンティティ(GLL)のための方法であって、
・  アクセス(A)の１つ又は複数の構成に対応する１つ又は複数の汎用性能メトリック(GPM)を決定するステップと、
・  前記アクセス(A)の１つ又は複数の構成に対応する、決定された１つ又は複数の汎用性能メトリック(GPM)を、多元アクセス管理エンティティ(MAM)へ送信するステップと、
・  前記多元アクセス管理エンティティ(MAM)から、決定された構成を受信するステップと、前記多元アクセス管理エンティティ(MAM)から受信した前記決定された構成に基づいて、前記アクセス(A)を構成するステップとを有することを特徴とする方法。
【請求項７】
さらに、前記決定された構成に関する汎用性能メトリック(GPM)を送信するステップを有することを特徴とする請求項６記載の方法。
【請求項８】
さらに、
・  前記多元アクセス管理エンティティ(MAM)からベアラの要件を受信するステップを有し、
前記１つ又は複数の汎用性能メトリック(GPM)は、前記受信したベアラの要件に基づいて決定され、前記受信したベアラの要件に合致しない汎用性能メトリックはその後で報告されなくなることを特徴とする請求項６又は請求項７記載の方法。
【請求項９】
前記アクセス(A)の１つ又は複数の構成に対応する１つ又は複数の汎用性能メトリック(GPM)が、解析的な導出に基づいて決定されることを特徴とする請求項６乃至請求項８のいずれか１項に記載の方法。
【請求項１０】
前記アクセス(A)の１つ又は複数の構成に対応する１つ又は複数の汎用性能メトリック(GPM)が、１つ又は複数のマッピングテーブルに基づいて決定されることを特徴とする請求項６乃至請求項８のいずれか１項に記載の方法。
【請求項１１】
複数のアクセス技術(AT)を提供する多元アクセスネットワークにおけるアクセス選択のための多元アクセス管理エンティティ(MAM)のための方法であって、
・  １つ又は複数のアクセス(A)の１つ又は複数の構成に対応する１つ又は複数の決定された汎用性能メトリック(GPM)を、１つ又は複数の汎用リンクレイヤエンティティ(GLL)から受信するステップであり、アクセス(A)は汎用リンクレイヤエンティティ(GLL)と関連付けられており、
・  前記受信した汎用性能メトリック(GPM)から、アプリケーション／ベアラの要件に適した構成(GPM)を提供するアクセス(A)がどれかを決定するステップと、前記決定された構成を、前記決定されたアクセス(A)に関連付けられた前記汎用リンクレイヤエンティティ(GLL)へ送信し、前記決定された汎用リンクレイヤエンティティ(GLL)に前記多元アクセス管理エンティティ(MAM)から受信した前記決定された構成に基づいて前記アクセス(A)を構成させるステップとを有することを特徴とする方法。
【請求項１２】
さらに、ベアラの要件を１つ又は複数の汎用リンクレイヤエンティティ(GLL)へ送信するステップを有することを特徴とする請求項１１記載の方法。
【請求項１３】
複数のアクセス技術(AT)を提供する多元アクセスネットワークにおけるアクセス選択のための装置であって、前記複数のアクセス技術(AT)に従った複数のアクセス(A)を備える装置が、
・  前記アクセス(A)の１つ又は複数の構成に対応する１つ又は複数の汎用性能メトリック(GPM)を決定する手段(GLL PU)を有し、
・  前記決定された１つ又は複数の汎用性能メトリック(GPM)が、前記アクセス(A)の１つ又は複数の構成に対応し、
・  汎用性能メトリック(GPM)から、アプリケーション／ベアラの要件に適した構成(GPM)をどのアクセス(A)が提供するかを決定するように構成されるアクセス選択手段(PU MAM)を有し、
・  前記１つ又は複数の汎用性能メトリック(GPM)を決定する手段(GLL PU)が、前記決定された構成に基づいてアクセス(A)を構成するように構成されることを特徴とする装置。
【請求項１４】
複数のアクセス技術(AT)を提供する多元アクセスネットワークにおけるアクセス選択のための汎用性能メトリック(GPM)を提供するためのモジュール(GLL)であって、
・  前記アクセス(A)の１つ又は複数の構成に対応する１つ又は複数の汎用性能メトリック(GPM)を決定する手段(GLL PU)と、
・  前記アクセス(A)の１つ又は複数の構成に対応する、前記決定された１つ又は複数の汎用性能メトリック(GPM)を、多元アクセス管理エンティティ(MAM)へ送信する手段(I/O-U 1)と、
・  前記多元アクセス管理エンティティ(MAM)から、決定された構成を受信する手段(I/O-U 1)とを有し、
・  前記１つ又は複数の汎用性能メトリック(GPM)を決定する手段(GLL PU)が、前記多元アクセス管理エンティティ(MAM)によって受信された前記決定された構成に基づいて前記アクセス(A)を構成するように構成されることを特徴とするモジュール。
【請求項１５】
複数のアクセス技術(AT)を提供する多元アクセスネットワークにおけるアクセス選択のためのモジュール(MAM)であって、
・  アクセス(A)の１つ又は複数の構成に対応する１つ又は複数の決定された汎用性能メトリック(GPM)を、１つ又は複数の汎用リンクレイヤエンティティ(GLL)から受信する手段(I/O-U 1)と、
・  前記受信された汎用性能メトリック(GPM)から、アプリケーション／ベアラの要件に適した構成をどのアクセス(A)が提供するかを決定する手段(MAM PU)と、
・  前記決定された構成を前記決定された汎用リンクレイヤエンティティ(GLL)に送信し、前記決定された汎用リンクレイヤエンティティに、前記多元アクセス管理エンティティ(MAM)によって報告された前記決定された構成に基づいて前記アクセス(A)を構成させる手段とを有することを特徴とするモジュール。
【請求項１６】
実行された際に、請求項１乃至請求項１２のいずれか１項に記載された方法の実行を可能にするソフトウェア。
【発明の詳細な説明】
【技術分野】
【０００１】
電気通信の世界では、様々なネットワークが用いられる。ユーザが希望するサービスを、ユーザの場所に係わらず提供するため、それらネットワークは協力することが必要である。高度に移動可能な環境において、このネットワーク協力は”オン・ザ・フライ”に確立される。
【背景技術】
【０００２】
多元アクセスネットワークにおいては、様々なアクセス(As)のオーバレイを提供するために様々なアクセス技術(ATs)が用いられる。
【０００３】
典型的には、以下でベアラと呼ばれるデータセッションは、例えば必要とされるデータレート、遅延、残差(residual)誤りに関し、所定のサービス品質要求(QoS)を有する。
【０００４】
多元アクセス管理(MAM)は、あるベアラに対して利用可能な様々なアクセス(As)の性能(performance)及び能力(capabilities)を観察し、ベアラの要件に（最も）適した１つ（複数のリンクを並列に用いる場合には複数）のアクセス(A)を選択する機能である。
【０００５】
この目的のため、多元アクセス管理(MAM)は、ベアラに利用可能な様々なアクセス(As)の性能及び能力に関する情報を必要とする。
【０００６】
そのような情報は例えば、レート要件及び／又は遅延要件及び／又は（残差）ビット誤り率及び／又は（残差）パケット誤り率を含んでよい。
【０００７】
１つの問題は、様々なアクセス(As)は、それらの性能ごとの能力の指定に、様々なアクセス技術固有のメトリックを用いることである。メトリックは、特性の定量化に関する任意の種類の情報であると理解される。
【０００８】
これら技術固有のメトリックは、例えば、生(raw)ビット誤り率及び／又は受信信号強度インジケータ(RSSI)及び／又は、信号対干渉及び雑音比(SINR)とを含んでよい。
【０００９】
従って、様々なアクセス(As)の比較は困難である。
【００１０】
例えば、ＷＬＡＮ無線アクセス(A)に対する-15dBmの受信信号強度インジケータ(RSSI)を、3dBの信号対干渉及び雑音比を有する３Ｇ無線アクセス(A)と比較するためには、この問題を無視できない。
【００１１】
そのような比較を可能にするため、汎用リンクレイヤ(GLL)は、アクセス技術固有のアクセス特性をアクセスの一般的な性能／能力へ変換する機能、即ち抽象化の機能を提供する。
【００１２】
汎用リンクレイヤエンティテイによって与えられる汎用アクセス能力／性能記述に基づき、多元アクセス管理(MAM)は適切なアクセス選択の決定を提供しなくてはならない。
【００１３】
そのため、汎用リンクレイヤが抽象化したアクセス能力は、ベアラのQoS要件を満たすことができる必要がある。
【００１４】
従って抽象化は、データレート、遅延、残差ビット誤り率(BER)又はパケット誤り率(PER)のような、QoSメトリックに類似したものである必要がある。
【００１５】
１つの問題は、このアクセス性能抽象化をどのように行うべきかである。
【００１６】
別の問題は、１組のアクセス固有性能メトリック(ASPM)、すなわちアクセス能力に対し、リンクレイヤがどのように構成されているかによって複数の様々な汎用性能メトリック(GPM)が生成されうることである。
【００１７】
そのため、様々な起こりうる構成のために、１組の汎用性能メトリック(GPM)が存在するのが一般的である。
【００１８】
従って、複数の汎用性能メトリック(GPM)のうち、あるアクセスの特定の構成を表すためにどの１つを用いるべきか、及び／又はどの特定のアクセスを用いるべきかを決定することが問題である。
【００１９】
ＵＭＴＳシステムのような既知の技術は、システムのリソースが選択された後に、それらができるだけ要件を満たすように適合されるので、こういった問題の影響を受けない。
【００２０】
しかし、それらの技術は柔軟性もなければ、一定量のリソースの最適化も許されない。
【発明の開示】
【００２１】
上述の欠点の少なくともいくつかを取り除き、複数のアクセス技術を提供する多元アクセスネットワーク内のシステムのアクセス選択方法を提供すること、またそのシステム並びにそのシステムのためのソフトウェアの提供を目的とする。
【００２２】
本発明によれば、請求項１，６，又は１１に記載された方法が実行される。さらに、本発明は請求項１３から１６に記載されるような装置で実施される。有利な実施形態は、従属請求項の各々に記述される。ここで提案するアクセス選択のための方法は、多元アクセスネットワーク内の装置で実行される。
【００２３】
この装置は、複数のアクセス技術を提供し、またその装置は、多元アクセス管理エンティティ及び、上述の複数のアクセス技術に従った複数のアクセスに対応する複数の汎用リンクレイヤエンティティを備える。
【００２４】
アクセス選択はアクセス決定(determination)及びアクセス構成(configuration)を有する。
【００２５】
最初のステップで、汎用リンクレイヤエンティティは、アクセスの１つ又は複数の構成に対応する１つ又は複数の汎用性能メトリックを決定する。ある１つのアクセスは、ある１つの汎用リンクレイヤエンティティに関連付けられる。しかし、汎用リンクレイヤエンティティは複数のアクセスを扱ってもよい。
【００２６】
そして、前記汎用リンクレイヤエンティティは、アクセスの１つ又は複数の構成に対応する、決定した１つ又は複数の汎用性能メトリックを、多元アクセス管理エンティティへ送信する。
【００２７】
次に多元アクセス管理エンティティは、受信した決定された汎用性能メトリックから、どのアクセスが、アプリケーション／ベアラの要件に適した構成を提供するかを決定する。
【００２８】
その後、多元アクセス管理エンティティは、決定した構成を、決定した汎用リンクレイヤエンティティへ報告する。
【００２９】
そして、決定された汎用リンクレイヤエンティティは、多元アクセス管理エンティティによって報告された、決定された構成に基づいてアクセスを構成する。
【００３０】
別の実施形態では、決定された汎用リンクレイヤエンティティが、前記決定された構成に関する汎用性能メトリックを報告する。
【００３１】
さらに、多元アクセス管理エンティティは、汎用リンクレイヤエンティティがアクセスの１つ又は複数の構成に対応する１つ又は複数の汎用性能メトリックを決定する前に、ベアラの要件を１つ又は複数の汎用リンクレイヤエンティティへ転送してもよい。この場合、ベアラの要件を受信している汎用リンクレイヤエンティティは、１つ又は複数の汎用性能メトリックを受信したベアラの要件に基づいて決定する。これにより、転送されたベアラの要件に合致しない汎用性能メトリックはその後報告されないであろう。
【００３２】
さらに、汎用リンクレイヤエンティティはまた、アクセスの１つ又は複数の構成に対応する１つ又は複数の汎用性能メトリックを、解析に基づく導出により、あるいは１つ又は複数のマッピングテーブルを用いて決定してもよい。
【００３３】
別の実施形態において、本発明は、汎用リンクレイヤエンティティのための方法であって、複数のアクセス技術を提供する多元アクセスネットワークにおけるアクセス選択のための汎用性能メトリックを提供する方法において実施される。
【００３４】
最初のステップで、アクセスの１つ又は複数の構成に対応する１つ又は複数の汎用性能メトリックが決定される。
【００３５】
そして、アクセスの１つ又は複数の構成に対応する、決定された１つ又は複数の汎用性能メトリックは、多元アクセス管理エンティティへ送信される。
【００３６】
その後、決定された構成が、前記多元アクセス管理エンティティから受信されるであろう。
【００３７】
そして、多元アクセス管理エンティティによって報告された、決定された構成に基づいてアクセスが構成されるであろう。
【００３８】
別の実施形態において、前記決定された構成に関する汎用性能メトリックが送信されてもよい。
【００３９】
加えて、汎用リンクレイヤエンティティは、多元アクセス管理エンティティからベアラの要件を受信してもよい。この場合、１つ又は複数の汎用性能メトリックは、受信したベアラの要件に基づいて決定される。これにより、転送されたベアラの要件に合致しない汎用性能メトリックはその後は報告されないであろう。
【００４０】
さらに、アクセスの１つ又は複数の構成に対応する１つ又は複数の汎用性能メトリックが、解析に基づく導出により、あるいは１つ又は複数のマッピングテーブルを用いて決定されてもよい。
【００４１】
本発明のさらに別の実施形態において、本発明は、多元アクセス管理エンティティのための方法であって、複数のアクセス技術を提供する多元アクセスネットワーク内の装置のアクセス選択のための方法において実施される。
【００４２】
最初のステップで、アクセスの１つ又は複数の構成に対応する、決定された１つ又は複数の汎用性能メトリックが、１つ又は複数の汎用リンクレイヤエンティティから受信される。
【００４３】
引き続き、前記受信された汎用性能メトリックから、どのアクセスが、アプリケーション／ベアラの要件に適した構成を提供するかが決定される。
【００４４】
そして、決定された構成は、決定された汎用リンクレイヤエンティティが、多元アクセス管理エンティティによって報告された、決定された構成に基づいてアクセスを構成するよう、決定された汎用リンクレイヤエンティティに送信される。
【００４５】
加えて、多元アクセス管理エンティティは、ベアラの要件を汎用リンクレイヤエンティティに送信してもよい。
【００４６】
またさらに、本発明は対応する装置及びモジュールにおいて実施される。
【００４７】
本発明に係る装置は、複数のアクセス技術に従った複数のアクセスを有してよい。
【００４８】
装置は、アクセスの１つ又は複数の構成に対応する１つ又は複数の汎用性能メトリックを決定する手段を有し、決定された１つ又は複数の汎用性能メトリックが、アクセスの１つ又は複数の構成に対応する。さらにこの装置は、アプリケーション／ベアラの要件に適した構成を提供するアクセスがどれかを、汎用性能メトリックから決定するように構成されたアクセス選択手段を有し、１つ又は複数の汎用性能メトリックを決定する手段が、決定された構成に基づいてアクセスを構成するように構成される。
【００４９】
複数のアクセス技術を提供する多元アクセスネットワークでのアクセス選択のための汎用性能メトリックを提供する、本発明に係るモジュールは、アクセスの１つ又は複数の構成に対応する１つ又は複数の汎用性能メトリックを決定する手段を有する。
【００５０】
さらに、このモジュールは、アクセスの１つ又は複数の構成に対応する、決定された１つ又は複数の汎用性能メトリックを、多元アクセス管理エンティティへ送信する手段と、決定された構成を前記多元アクセス管理エンティティから受信する手段を有し、１つ又は複数の汎用性能メトリックを決定する手段が、多元アクセス管理エンティティによって受信された、決定された構成に基づいてアクセスを構成するようにさらに構成される。
【００５１】
複数のアクセス技術を提供する多元アクセスネットワークでのアクセス選択のための、本発明に係るモジュールは、１つ又は複数の汎用リンクレイヤエンティティから、アクセスの１つ又は複数の構成に対応する、決定された１つ又は複数の汎用性能メトリックを受信する手段を有する。
【００５２】
さらに、前記モジュールは、前記受信した汎用性能メトリックから、アプリケーション／ベアラの要件に適した構成をどのアクセスが提供するかを決定する手段と、決定された構成を、決定された汎用リンクレイヤエンティティへ送信し、この汎用リンクレイヤエンティティに、多元アクセス管理エンティティから報告された、決定された構成に基づいてアクセスを構成させるように構成される。
【００５３】
さらに本発明は、実行時に上述の方法を実行することを可能にするソフトウェア、において実施されてもよい。
【発明を実施するための最良の形態】
【００５４】
以下、添付図面を用いて、本発明を詳細に説明する
図１から図３は、本発明が組み込まれている装置の例示的な機能構成を示す図である。
【００５５】
特に、図１は、２つのアクセス(A1,A2)及び、多元アクセス管理エンティティ(MAM)に接続されたそれぞれの汎用リンクレイヤエンティティ(GLL A1,GLL A2)を示している。
【００５６】
図２は、多元アクセス管理エンティティ(MAM)及び汎用リンクレイヤエンティティ(GLL)が取りうる内部構成を示している。
【００５７】
本発明に係る装置は、コンピュータ、移動機、そのような機能のいずれかを提供するＰＤＡ又は装置のいかなるものであってもよい。
【００５８】
そのような装置は、多元アクセス管理エンティティと呼ばれる機能を含んでもよい。
【００５９】
多元アクセス管理エンティティ(MAM)は、インタフェース(I/O-U 1)を介し、対応するインタフェース(I/O-U 1)を有する１つ又は複数の汎用リンクレイヤエンティティと接続されてよく、それによって汎用リンクレイヤエンティティが複数のアクセス(A1,A2)と対応する。
【００６０】
図３に示すような他の実施形態において、多元アクセス管理エンティティ(MAM)及び１つ又は複数の汎用リンクレイヤエンティティは１つの装置を形成してもよい。
【００６１】
さらに、概要を述べたように、多元アクセス管理エンティティ(MAM)は、他のインタフェース(I/O-U 2)を介してベアラの要件(Req)を受信する。
【００６２】
アクセス(A1,A2)は、UMTS,GSM,GPRS,WiMax,W-Lan,ブルートゥース等のような無線アクセス技術、又はイーサネット(登録商標),DSL,ケーブルテレビ,電力線,光ファイバ,USB,Firewire等のような有線ベースのアクセス技術といった、同一又は異なる複数のアクセス技術に関連してもよい。
【００６３】
従って、あるアクセスは、適合した任意の種類の送信器及び受信器であってよい。
【００６４】
本技術分野における当業者には明らかであろうが、アクセス、汎用リンクレイヤエンティティ及び多元アクセス管理エンティティはモジュール化されてよい。
【００６５】
例えば、多元アクセス管理エンティティは、ソフトウェア対応の、あるいは専用の処理ユニット(PU)において実施されても、例えばコンピュータ用のPCIカードやPCMCIAカードのようなプラグインカードのようなアドオンモジュールにおいて実施されてもよい。
【００６６】
アクセス(A1,A2)もまた、コンピュータ用のPCIカードやPCMCIAカードのようなアドオンモジュール内にモジュール化されてよい。
【００６７】
例えば、ノート型パソコン(notebook)、PDA又は移動機のようなコンピュータは、ブルートゥース及びUMTSといった、いくつかのアクセス技術を備えることができる。
【００６８】
対応するドッキングステーションはイーサネットモジュール、DSLモジュール又は他のアクセス技術に対応する他のモジュールを備えることができる。
【００６９】
ノート型パソコン、PDA又は移動機をドッキングステーションに接続すると、それらアクセス技術もまた利用可能になるであろう。
【００７０】
アクセスモジュールは汎用リンクレイヤエンティティ(GLL A1,GLL A2)を有してよい。汎用リンクレイヤエンティティは、ソフトウェア対応の、あるいは専用の処理ユニット(PU)において実現されてよい。
【００７１】
汎用リンクレイヤエンティティ(GLL)は、１つ又は複数のアクセス(A)の１つ又は複数の構成に対応する、１つ又は複数の汎用性能メトリック(GPM)を決定する。
【００７２】
そのような算出は、要求に応じて実行されても、定期的に実行されても、モジュールの組み立て時に実行されても、ドッキングステーションへのドッキングに関して上述したように、所定のアクセス技術が利用可能になった際に実行されてもよい。
【００７３】
典型的には、ある１つのアクセスは、構成のためのいくつかのオプションを提供する。これら構成は結果として様々な汎用性能メトリックをもたらす。即ち、抽象化は構成に影響される。
【００７４】
例えば、あるアクセスのアクセス固有性能メトリック(ASPM)は、生ビット誤り率(rBER)、即ち復号化前のビット誤り率が１０−２である。他の、利用可能であろうアクセス固有性能メトリック(ASPM)は、受信信号強度インジケータ(RSSI)、信号対干渉及び雑音比(SINR)などを包含する。
【００７５】
図４に例示的に示すように、アクセスはいくつかの方法で構成されてよい。
【００７６】
例えば、アクセスは、行１に示すように、１０−４未満のビット誤り率及び１０−６未満のパケット誤り率を提供しながら、２００ｍｓ未満の遅延で約３３０ｋｂ／ｓのレートを提供するものとして構成できる。あるいは、それに引き続く、それぞれがアクセス(A)の異なる構成を表している行に記載されるように構成できる。
【００７７】
従って、いくつかの汎用性能メトリック(GPM1,GPM2,GPM3)を、１つのアクセス固有性能メトリック(ASPM)に対して決定することができる。
【００７８】
これら汎用性能メトリック(GPM 1,GPM 2,GPM 3)の各々は、所定のアプリケーションに対して有用であってよく、例えば第１の汎用性能メトリック(GPM 1)がアクセスに起因する再送信の少ないリンク構成を表し、第２の汎用性能メトリック(GPM 2)が、アクセスに起因する再送信が多いリンク構成を表し、第３の汎用性能メトリック(GPM 3)が十分に信頼できるリンク構成を表す。
【００７９】
１つ又は複数の性能メトリック(GPM 1,GPM 2,GPM 3)が決定されると、汎用リンクレイヤエンティティ(GLL)は、アクセス(A)の１つ又は複数の構成に対応する決定された汎用性能メトリック(GPM 1,GPM 2,GPM 3)を、インタフェース(I/O-U 1)を介して多元アクセス管理エンティティ(MAM)へ報告する。多元アクセス管理エンティティ(MAM)は、受信した汎用性能メトリック(GPM 1,GPM 2,GPM 3)から、どのアクセス(A1,A2)がアプリケーション／ベアラの要件に（最も）適した構成(GPM 1,GPM 2,GPM 3)を与えるかを決定する。
【００８０】
いくつかのアクセス(A1,A2)が多元アクセス管理エンティティ(MAM)に接続されている場合、この決定は、まずある１つのアクセスを決定し、次いでその（最も）適した構成を決定するという２段階の解析であっても、全ての汎用リンクレイヤエンティティによって受信された全ての汎用性能メトリックから、（最も）適した１つを決定するという１段階の解析であってもよい。
【００８１】
適合した構成が決定されると、多元アクセス管理エンティティ(MAM)は、決定された構成をインタフェース(I/O-U 1)を介して、決定された汎用リンクレイヤエンティティ(GLL)へ報告する。
【００８２】
そして、決定された汎用リンクレイヤエンティティ(GLL)は、多元アクセス管理エンティティ(MAM)によって報告された、決定された構成に基づいてアクセス(A)を構成する。
【００８３】
引き続き、必要に応じて、決定された汎用リンクレイヤエンティティ(GLL)は、決定された構成のみに対する汎用性能メトリック(GPM)を報告してもよい。
【００８４】
加えて、多元アクセス管理エンティティ(MAM)は、他のインタフェース(I/O-U 2)を介して前もって受信したベアラの要件を、汎用リンクレイヤエンティティ(GLL)がアクセス(A)の１つ又は複数の構成に対応する１つ又は複数の汎用性能メトリックを決定するより前に、１つ又は複数の汎用リンクレイヤエンティティ(GLL)へ転送してもよい。
【００８５】
インタフェース(I/O-U 1)を介してベアラの要件を受信している汎用リンクレイヤエンティティ(GLL)は、受信したベアラの要件に基づいて１つ又は複数の汎用性能メトリック(GPM)を決定し、転送されたベアラの要件に合致しない汎用性能メトリック(GPM)は、その後報告されなくなる。
【００８６】
そうすることで、汎用リンクレイヤエンティティと多元アクセス管理エンティティとの間の通信量が減少し、多元アクセス管理エンティティのいくらかの知性が汎用リンクレイヤエンティティ(GLL)へ分配される。
【００８７】
アクセスの１つ又は複数の構成に対応する１つ又は複数の汎用性能メトリックの決定するために、いくつかの手順を実施してもよい。
【００８８】
例えば、決定は、解析的な導出及び／又は、１つ又は複数のマッピングテーブルに従ったマッピングであってよい。
【００８９】
例えば、マッピングテーブルは所定のアクセス固有の能力メトリック(ASPM)及び許される再送数Ｎに基づいてもよい。
【００９０】
例えば、以下の複数のパラメータは汎用性能メトリック(GPM)に含まれてよく、以下のように導出されてよい。
【００９１】
・    遅延＝Ｎ＊ｘ
：ここでｘはアクセス固有の固定数であり、Ｎは再送数である。
・    BER = f (ASPM, N,)
・    PER = f (ASPM, N)
・    レート = f (ASPM, N)
【００９２】
しかし、他の機能もまた適用可能である。
【００９３】
上述したように、利用可能であろう他のアクセス固有性能メトリック(ASPM)は、受信信号強度インジケータ(RSSI)、信号対干渉及び雑音比(SINR)、チャネル品質インジケータ(CQI)などを包含する。
【００９４】
この目的のため、汎用リンクレイヤエンティティ又はアクセスは、対応するパラメータの測定を許される測定ユニット(MU)を備えてもよい。
【００９５】
既に述べたように、概要を上述したような方法の実施を許される多元アクセス管理エンティティ(MAM)及び汎用リンクレイヤエンティティ(GLL)は、モジュール化されてよい。しかし、それらはまた、１つの装置及び／又は、コンピュータ、ＰＤＡ、ラップトップコンピュータなどのような、より複雑な装置に統合されてもよい。
【００９６】
図３に示すような統合ソリューションは、インタフェース(I/O-U 1)のような図２に示す所定の構成要素を省略できたり、処理ユニット(PU)のような、組み合わされた形式で用いることができるという更なる利点を提供しうる。そのようにすることで、より高い集積率を実現することができる。
【００９７】
上述したように、ソフトウェアに対応した処理ユニットもまた、そのようなモジュール又は装置を実現してよい。上述した発明により、極めて柔軟なシステム、装置、モジュール及び方法を提供することが可能であり、それにより、ベアラの要件に従ったアクセスの柔軟な選択及び構成を可能にする。
【図面の簡単な説明】
【００９８】
【図１】、
【図２】、
【図３】本発明が組み込まれている装置の例示的な機能構成を示す図である。
【図４】本発明による汎用リンクレイヤエンティティが提供する汎用性能メトリックのいくつかを表すテーブルを示す図である。
【図１】
2009530926.tif 000003
【図２】
2009530926.tif 000004
【図３】
2009530926.tif 000005
【図４】
2009530926.tif 000006
【手続補正書】
【提出日】平成20年1月26日(2008.1.26)
【手続補正１】
【補正対象書類名】特許請求の範囲
【補正対象項目名】全文
【補正方法】変更
【補正の内容】
【特許請求の範囲】
【請求項１】
複数のアクセス技術(AT)を提供する多元アクセスネットワークであり、多元アクセス管理エンティティ(MAM)と、前記複数のアクセス技術に従った複数のアクセス(A)に関連付けられた複数の汎用リンクレイヤエンティティ(GLL)とを有する多元アクセスネットワークにおける、アクセス決定並びにアクセス構成を有するアクセス選択方法であって、
・  汎用リンクレイヤエンティティ(GLL)が、前記アクセス(A)の複数の構成に対応する、複数の汎用性能メトリック(GPM)を決定するステップと、
・  前記汎用リンクレイヤエンティティ(GLL)が、前記アクセス(A)の前記複数の構成に対応する、決定された、複数の汎用性能メトリック(GPM)を、前記多元アクセス管理エンティティへ送信するステップと、
・  前記多元アクセス管理エンティティ(MAM)が、前記決定された複数の汎用性能メトリック(GPM)から、どのアクセス(A)が、アプリケーション／ベアラの要件に適した構成を提供するかを決定するステップと、
・  前記多元アクセス管理エンティティ(MAM)が、前記決定された構成を、前記決定されたアクセス(A)に関連付けられた前記汎用リンクレイヤエンティティ(GLL)へ送信するステップと、
・  前記決定された汎用リンクレイヤエンティティ(GLL)が、前記多元アクセス管理エンティティ(MAM)から受信した前記決定された構成に基づいて、前記アクセス(A)を構成するステップとを有し、
・  前記決定されたアクセス(A)に関連付けられた前記汎用リンクレイヤエンティティ(GLL)が、前記決定された構成に関する汎用性能メトリック(GPM)を送信することを特徴とする方法。
【請求項２】
さらに、
・  前記多元アクセス管理エンティティ(MAM)が、ベアラの要件を、汎用リンクレイヤエンティティ(GLL)が前記アクセス(A)の１つ又は複数の構成に対応する１つ又は複数の汎用性能メトリック(GPM)を決定する前に、１つ又は複数の汎用リンクレイヤエンティティ(GLL)へ送信するステップと、
・  ベアラの要件を受信している汎用リンクレイヤエンティティ(GLL)が、前記受信したベアラの要件に基づいて１つ又は複数の汎用性能メトリック(GPM)を決定するステップとを有し、前記受信したベアラの要件に合致しない汎用性能メトリック(GPM)は、その後報告されなくなることを特徴とする請求項１記載の方法。
【請求項３】
前記汎用リンクレイヤエンティティ(GLL)が、前記アクセス(A)の１つ又は複数の構成に対応する１つ又は複数の汎用性能メトリック(GPM)を、解析的な導出によって決定するステップをさらに有することを特徴とする請求項１又は請求項２に記載の方法。
【請求項４】
前記汎用リンクレイヤエンティティ(GLL)が、前記アクセス(A)の１つ又は複数の構成に対応する１つ又は複数の汎用性能メトリック(GPM)を、１つ又は複数のマッピングテーブルを用いて決定するステップをさらに有することを特徴とする請求項１乃至請求項３のいずれか１項に記載の方法。
【請求項５】
複数のアクセス技術(AT)を提供する多元アクセスネットワークにおけるアクセス選択のための汎用性能メトリック(GPM)を提供する汎用リンクレイヤエンティティ(GLL)のための方法であって、
・  アクセス(A)の複数の構成に対応する複数の汎用性能メトリック(GPM)を決定するステップと、
・  前記アクセス(A)の前記複数の構成に対応する、決定された複数の汎用性能メトリック(GPM)を、多元アクセス管理エンティティ(MAM)へ送信するステップと、
・  前記多元アクセス管理エンティティ(MAM)から、決定された構成を受信するステップと、前記多元アクセス管理エンティティ(MAM)から受信した前記決定された構成に基づいて、前記アクセス(A)を構成するステップと、
前記決定された構成に関する汎用性能メトリック(GPM)を送信するステップとを有することを特徴とする方法。
【請求項６】
さらに、
・  前記多元アクセス管理エンティティ(MAM)からベアラの要件を受信するステップを有し、
前記１つ又は複数の汎用性能メトリック(GPM)は、前記受信したベアラの要件に基づいて決定され、前記受信したベアラの要件に合致しない汎用性能メトリックはその後で報告されなくなることを特徴とする請求項５記載の方法。
【請求項７】
前記アクセス(A)の１つ又は複数の構成に対応する１つ又は複数の汎用性能メトリック(GPM)が、解析的な導出に基づいて決定されることを特徴とする請求項５又は請求項６に記載の方法。
【請求項８】
前記アクセス(A)の１つ又は複数の構成に対応する１つ又は複数の汎用性能メトリック(GPM)が、１つ又は複数のマッピングテーブルに基づいて決定されることを特徴とする請求項５乃至請求項７のいずれか１項に記載の方法。
【請求項９】
複数のアクセス技術(AT)を提供する多元アクセスネットワークにおけるアクセス選択のための多元アクセス管理エンティティ(MAM)のための方法であって、
・  １つ又は複数のアクセス(A)の複数の構成に対応する複数の決定された汎用性能メトリック(GPM)を、１つ又は複数の汎用リンクレイヤエンティティ(GLL)から受信するステップであり、アクセス(A)は汎用リンクレイヤエンティティ(GLL)と関連付けられており、
・  前記受信した複数の汎用性能メトリック(GPM)から、アプリケーション／ベアラの要件に適した構成(GPM)を提供するアクセス(A)がどれかを決定するステップと、前記決定された構成を、前記決定されたアクセス(A)に関連付けられた前記汎用リンクレイヤエンティティ(GLL)へ送信し、前記決定された汎用リンクレイヤエンティティ(GLL)に前記多元アクセス管理エンティティ(MAM)から受信した前記決定された構成に基づいて前記アクセス(A)を構成させるステップと、
ベアラの要件を１つ又は複数の汎用リンクレイヤエンティティ(GLL)へ送信するステップとを有することを特徴とする方法。
【請求項１０】
複数のアクセス技術(AT)を提供する多元アクセスネットワークにおけるアクセス選択のための装置であって、前記複数のアクセス技術(AT)に従った複数のアクセス(A)を備える装置が、
・  前記アクセス(A)の１つ又は複数の構成に対応する複数の汎用性能メトリック(GPM)を決定する手段(GLL PU)を有し、
・  前記決定された複数の汎用性能メトリック(GPM)が、前記アクセス(A)の複数の構成に対応し、
・  前記複数の汎用性能メトリック(GPM)から、アプリケーション／ベアラの要件に適した構成(GPM)をどのアクセス(A)が提供するかを決定するように構成されるアクセス選択手段(PU MAM)を有し、
・  前記複数の汎用性能メトリック(GPM)を決定する手段(GLL PU)が、前記決定された構成に基づいてアクセス(A)を構成するように構成されることを特徴とする装置。
【請求項１１】
複数のアクセス技術(AT)を提供する多元アクセスネットワークにおけるアクセス選択のための汎用性能メトリック(GPM)を提供するためのモジュール(GLL)であって、
・  前記アクセス(A)の複数の構成に対応する複数の汎用性能メトリック(GPM)を決定する手段(GLL PU)と、
・  前記アクセス(A)の前記複数の構成に対応する、前記決定された複数の汎用性能メトリック(GPM)を、多元アクセス管理エンティティ(MAM)へ送信する手段(I/O-U 1)と、
・  前記多元アクセス管理エンティティ(MAM)から、決定された構成を受信する手段(I/O-U 1)とを有し、
・  前記複数の汎用性能メトリック(GPM)を決定する手段(GLL PU)が、前記多元アクセス管理エンティティ(MAM)によって受信された前記決定された構成に基づいて前記アクセス(A)を構成するように構成されることを特徴とするモジュール。
【請求項１２】
複数のアクセス技術(AT)を提供する多元アクセスネットワークにおけるアクセス選択のためのモジュール(MAM)であって、
・  アクセス(A)の複数の構成に対応する複数の決定された汎用性能メトリック(GPM)を、１つ又は複数の汎用リンクレイヤエンティティ(GLL)から受信する手段(I/O-U 1)と、
・  前記受信された複数の汎用性能メトリック(GPM)から、アプリケーション／ベアラの要件に適した構成をどのアクセス(A)が提供するかを決定する手段(MAM PU)と、
・  前記決定された構成を前記決定された汎用リンクレイヤエンティティ(GLL)に送信し、前記決定された汎用リンクレイヤエンティティに、前記多元アクセス管理エンティティ(MAM)によって報告された前記決定された構成に基づいて前記アクセス(A)を構成させる手段とを有することを特徴とするモジュール。
【請求項１３】
実行された際に、請求項１乃至請求項９のいずれか１項に記載された方法の実行を可能にするソフトウェア。
【国際調査報告】
2009530926.tif 000007
2009530926.tif 000008
2009530926.tif 000009